【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
サーバによって実行されるプログラムであって、
ユーザの情報を含む第１情報を前記ユーザの端末から通信部によって受信することと、  前記ユーザと取引を行う候補の企業の情報処理装置に前記第１情報を前記通信部によって送信することと、
前記ユーザに関する情報と、前記企業に関する情報とに基づく、前記取引に関する評価情報を前記通信部によって前記情報処理装置に送信することとが前記サーバによって実行され、
前記評価情報は、前記ユーザに対する評価に関する情報を含む。
【請求項２】
請求項１に記載のプログラムであって、
前記評価情報は、前記ユーザに関する情報と前記企業に関する情報との一致度に基づいて、前記評価情報を前記通信部によって前記情報処理装置に送信される。
【請求項３】
請求項１または請求項２に記載のプログラムであって、
前記評価情報は、前記ユーザが前記企業との前記取引をする可能性が高いことを示す情報を含む。
【請求項４】
請求項１から請求項３の少なくとも一項に記載のプログラムであって、
複数のユーザの各々の前記第１情報を前記複数のユーザの各々の端末から前記通信部によって受信することと、
前記複数のユーザの各々に関する情報と、前記企業に関する情報とに基づいて、前記複数のユーザのうち、前記企業と前記取引を行う可能性が高いユーザを知らせる情報を、前記評価情報として前記通信部によって前記情報処理装置に送信することとが前記サーバによって実行される。
【請求項５】
請求項１から請求項４の少なくとも一項に記載のプログラムであって、
前記ユーザに関する情報は、前記第１情報とは異なる前記ユーザの情報を含み、前記ユーザの端末から前記通信部によって受信し、前記サーバに記憶される。
【請求項６】
請求項１から請求項４の少なくとも一項に記載のプログラムであって、
前記ユーザに関する情報は、前記第１情報を含む。
【請求項７】
請求項１から請求項６の少なくとも一項に記載のプログラムであって、
前記企業に関する情報は、前記企業のユーザとの前記取引の履歴に基づく情報を含む。
【請求項８】
請求項１から請求項６の少なくとも一項に記載のプログラムであって、
前記企業に関する情報は、前記企業の前記情報処理装置から送付され、前記取引に関して前記企業の特性に関する情報を含む。
【請求項９】
請求項１から請求項８の少なくとも一項に記載のプログラムであって、
前記企業に関する情報は、前記取引の金額に関する情報を含み、
前記ユーザに関する情報と、前記取引の金額に関する情報とに基づき、前記評価情報を前記通信部によって前記情報処理装置に送信することが前記サーバによって実行される。
【請求項１０】
請求項９に記載のプログラムであって、
前記ユーザに関する情報は、前記ユーザの家族構成に関する情報を含み、
前記取引の金額に関する情報は、前記ユーザの家族構成によって変更する情報を含む。
【請求項１１】
請求項１から請求項１０の少なくとも一項に記載のプログラムであって、
前記ユーザに関する情報は、前記ユーザの居住に関する情報を含み、
前記企業に関する情報は、前記取引を実行可能な領域を含み、
前記評価情報は、前記ユーザの居住に関する情報と前記取引を実行可能な領域とに基づいて前記通信部によって前記情報処理装置に送信される。
【請求項１２】
請求項１から請求項１１の少なくとも一項に記載のプログラムであって、
前記第１情報とは異なる、前記企業との前記取引のための前記ユーザの個人情報を含む第２情報を前記通信部によって前記端末から受信することと、
前記第２情報を前記情報処理装置に前記通信部によって送信することとが前記サーバによって実行される。
【請求項１３】
請求項１から請求項１２のいずれか一項に記載のプログラムであって、
前記端末から送信された取引に関する情報を前記通信部によって前記情報処理装置に送信することが前記サーバによって実行される。
【請求項１４】
請求項１３に記載のプログラムであって、
前記取引に関する情報は、メッセージである。
【請求項１５】
請求項１３に記載のプログラムであって、
前記取引に関する情報は、前記企業と前記取引を行うための画像情報を含む。
【請求項１６】
サーバであって、
ユーザの情報を含む第１情報を前記ユーザの端末から受信し、前記ユーザと取引を行う候補の企業の情報処理装置に前記第１情報を送信する通信部と、
前記ユーザに関する情報と、前記企業に関する情報とに基づく、前記取引に関する評価情報を前記通信部によって前記情報処理装置に送信する制御とを行う制御部とを備え、
前記評価情報は、前記ユーザに対する評価に関する情報を含む。
【請求項１７】
サーバの情報処理方法であって、
ユーザの情報を含む第１情報を前記ユーザの端末から通信部によって受信することと、
前記ユーザと取引を行う候補の企業の情報処理装置に前記第１情報を前記通信部によって送信することと、
前記ユーザに関する情報と、前記企業に関する情報とに基づいて、前記取引に関する評価情報を前記通信部によって前記情報処理装置に送信することとを含み、
前記評価情報は、前記ユーザに対する評価に関する情報を含む。
【請求項１８】
サーバと情報の送受信を行う企業の情報処理装置によって実行されるプログラムであって、
ユーザの端末から送付された前記ユーザの情報を含む第１情報を前記サーバから前記情報処理装置の通信部によって受信することと、
前記ユーザに関する情報と、前記企業に関する情報とに基づく、前記ユーザと前記企業との取引に関する評価情報を前記通信部によって前記サーバから受信することと、
前記第１情報と、前記評価情報とを前記情報処理装置の表示部に表示することとが前記情報処理装置によって実行され、
前記評価情報は、前記ユーザに対する評価に関する情報を含む。
【請求項１９】
請求項１８に記載のプログラムであって、
前記評価情報は、前記ユーザに関する情報と前記企業に関する情報との一致度に基づいて、前記通信部によって前記情報処理装置に送信される。
【請求項２０】
請求項１８または請求項１９に記載のプログラムであって、
前記評価情報は、前記ユーザが前記企業との前記取引をする可能性が高いことを示す情報を含む。
【請求項２１】
請求項１８から請求項２０の少なくとも一項に記載のプログラムであって、
前記サーバは、複数のユーザの各々の前記第１情報を前記複数のユーザの各々の端末から受信し、
前記複数のユーザの各々に関する情報と、前記企業に関する情報とに基づいて、前記複数のユーザのうち、前記企業と前記取引を行う可能性が高いユーザを知らせる情報を、前記評価情報として前記通信部によって前記サーバから受信することが前記情報処理装置によって実行される。
【請求項２２】
請求項１８から請求項２１の少なくとも一項に記載のプログラムであって、
前記ユーザに関する情報は、前記第１情報とは異なる前記ユーザの情報を含み、前記ユーザの端末から前記通信部によって受信し、前記サーバに記憶される。
【請求項２３】
請求項１８から請求項２１の少なくとも一項に記載のプログラムであって、
前記ユーザに関する情報は、前記第１情報を含む。
【請求項２４】
請求項１８から請求項２３の少なくとも一項に記載のプログラムであって、
前記企業に関する情報は、前記企業のユーザとの前記取引の履歴に基づく情報を含む。
【請求項２５】
請求項１８から請求項２３の少なくとも一項に記載のプログラムであって、
前記企業に関する情報は、前記企業の前記情報処理装置から送付され、前記取引に関して前記企業の特性に関する情報を含む。
【請求項２６】
請求項１８から請求項２５の少なくとも一項に記載のプログラムであって、
前記企業に関する情報は、前記取引の金額に関する情報を含み、
前記ユーザに関する情報と、前記取引の金額に関する情報とに基づく、前記評価情報を前記通信部によって前記サーバから受信することが前記情報処理装置によって実行される。
【請求項２７】
請求項２６に記載のプログラムであって、
前記ユーザに関する情報は、前記ユーザの家族構成に関する情報を含み、
前記取引の金額に関する情報は、前記ユーザの家族構成によって変更する情報を含む。
【請求項２８】
請求項１８から請求項２７の少なくとも一項に記載のプログラムであって、
前記ユーザに関する情報は、前記ユーザの居住に関する情報を含み、
前記企業に関する情報は、前記取引を実行可能な領域を含み、
前記評価情報は、前記ユーザの居住に関する情報と前記取引を実行可能な領域とに基づいて前記通信部によって受信される。
【請求項２９】
請求項１８から請求項２８の少なくとも一項に記載のプログラムであって、
前記第１情報とは異なる、前記企業との前記取引のための前記ユーザの個人情報を含む第２情報を前記通信部によって前記サーバから受信することが前記情報処理装置によって実行される。
【請求項３０】
請求項２９に記載のプログラムであって、
前記第２情報は、前記端末の前記ユーザによる選択に基づいて、前記端末から前記サーバに送信され、前記サーバから前記情報処理装置に送信される。
【請求項３１】
請求項１８から請求項３０のいずれか一項に記載のプログラムであって、
前記端末から送信された前記取引に関する情報を前記通信部によって前記サーバから受信することが前記情報処理装置によって実行される。
【請求項３２】
請求項３１に記載のプログラムであって、
前記取引に関する情報は、メッセージである。
【請求項３３】
請求項３１に記載のプログラムであって、
前記取引に関する情報は、前記企業と前記取引を行うための画像情報を含む。
【請求項３４】
サーバと情報の送受信を行う企業の情報処理装置であって、
ユーザの端末から送付された前記ユーザの情報を含む第１情報を前記サーバから受信し、前記ユーザに関する情報と、前記企業に関する情報とに基づく、前記ユーザと前記企業との取引に関する評価情報を前記サーバから受信する通信部と、
前記第１情報と、前記評価情報とを表示部に表示する制御部とを備え、
前記評価情報は、前記ユーザに対する評価に関する情報を含む。
【請求項３５】
サーバと情報の送受信を行う企業の情報処理装置の情報処理方法であって、
ユーザの端末から送付された前記ユーザの情報を含む第１情報を前記サーバから前記情報処理装置の通信部によって受信することと、
前記ユーザに関する情報と、前記企業に関する情報とに基づく、前記ユーザと前記企業との取引に関する評価情報を前記通信部によって前記サーバから受信することと、
前記第１情報と、前記評価情報とを前記情報処理装置の表示部に表示することとを含み、
前記評価情報は、前記ユーザに対する評価に関する情報を含む。
【手続補正２】
【補正対象書類名】明細書
【補正対象項目名】０００４
【補正方法】変更
【補正の内容】
【０００４】
本発明の第１態様によると、サーバによって実行されるプログラムは、ユーザの情報を含む第１情報をユーザの端末から通信部によって受信することと、ユーザと取引を行う候補の企業の情報処理装置に第１情報を通信部によって送信することと、ユーザに関する情報と、企業に関する情報とに基づく、取引に関する評価情報を通信部によって情報処理装置に送信することとがサーバによって実行され、評価情報は、ユーザに対する評価に関する情報を含む。
本発明の第２態様によると、サーバは、ユーザの情報を含む第１情報をユーザの端末から受信し、ユーザと取引を行う候補の企業の情報処理装置に第１情報を送信する通信部と、  ユーザに関する情報と、企業に関する情報とに基づく、取引に関する評価情報を通信部によって情報処理装置に送信する制御とを行う制御部とを備え、評価情報は、ユーザに対する評価に関する情報を含む。
本発明の第３態様によると、サーバの情報処理方法は、ユーザの情報を含む第１情報をユーザの端末から通信部によって受信することと、ユーザと取引を行う候補の企業の情報処理装置に第１情報を通信部によって送信することと、ユーザに関する情報と、企業に関する情報とに基づいて、取引に関する評価情報を通信部によって情報処理装置に送信することとを含み、評価情報は、ユーザに対する評価に関する情報を含む。
本発明の第４態様によると、サーバと情報の送受信を行う企業の情報処理装置によって実行されるプログラムは、ユーザの端末から送付されたユーザの情報を含む第１情報をサーバから情報処理装置の通信部によって受信することと、ユーザに関する情報と、企業に関する情報とに基づく、ユーザと企業との取引に関する評価情報を通信部によってサーバから受信することと、第１情報と、評価情報とを情報処理装置の表示部に表示することとが情報処理装置によって実行され、評価情報は、ユーザに対する評価に関する情報を含む。
本発明の第５態様によると、サーバと情報の送受信を行う企業の情報処理装置は、ユーザの端末から送付されたユーザの情報を含む第１情報をサーバから受信し、ユーザに関する情報と、企業に関する情報とに基づく、ユーザと企業との取引に関する評価情報をサーバから受信する通信部と、第１情報と、評価情報とを表示部に表示する制御部とを備え、  評価情報は、ユーザに対する評価に関する情報を含む。
本発明の第６態様によると、サーバと情報の送受信を行う企業の情報処理装置の情報処理方法であって、ユーザの端末から送付されたユーザの情報を含む第１情報をサーバから情報処理装置の通信部によって受信することと、ユーザに関する情報と、企業に関する情報とに基づく、ユーザと企業との取引に関する評価情報を通信部によってサーバから受信することと、第１情報と、評価情報とを情報処理装置の表示部に表示することとを含み、評価情報は、ユーザに対する評価に関する情報を含む。